(57)【要約】【課題】布団を収納する作業、敷く作業を充分に楽にしながら収納スペースを小に抑える。【解決手段】布団１を吊り下げた姿で収納することができる縦型の収納庫２を設ける。布団１の端部に紐状体３を取付ける。収納庫２に紐状体３を巻き取り及び繰り出す巻き取り手段４を設ける。収納庫２において床面近くに布団１を導入及び導出する布団出入り口５を形成した。【選択図】        図１
2004147698.tif 000002
【特許請求の範囲】
【請求項１】
布団を吊り下げた姿で収納することができる縦型の収納庫を設け、布団の端部に紐状体を取付け、収納庫に紐状体を巻き取り及び繰り出す巻き取り手段を設け、収納庫において床面近くに布団を導入及び導出する布団出入り口を形成して成ることを特徴とする布団収納庫。
【請求項２】
収納庫内に乾燥装置を設けて成ることを特徴とする請求項１記載の布団収納庫。
【請求項３】
紐状体を布団に対して係脱自在にして成ることを特徴とする請求項１記載の布団収納庫。
【請求項４】
布団出入り口に布団の出し入れをガイドするガイドローラを設けて成ることを特徴とする請求項１記載の布団収納庫。
【請求項５】
ガイドローラの上方に導出される布団をガイドローラへとガイドするガイド手段を設けて成ることを特徴とする請求項４記載の布団収納庫。
【発明の詳細な説明】
【０００１】
【発明の属する技術分野】
本発明は、布団収納庫に関し、詳しくは、布団を収納する作業、敷く作業を充分に楽にしながら収納スペースを小に抑えようとする技術に係るものである。
【０００２】
【従来の技術】
一般に、布団の上げ降ろし作業は高齢者や身障者にとって身体的付加が大きく、干し作業は多大な労力を要し、又、押入に収納する際には占有スペースが大になるものである。
例えば、図６に示す従来の布団収納庫においては、底面にスノコ状載置面２ｂを備えて前方及び上方が開放された収納物載置台２ａを押入れの下段において引き出し自在に設けている。引き出した収納物載置台２ａに折り畳んだ布団１を載せ、収納物載置台２ａをガイドレール２ｃを介して押入れの下段部に移動させるのである。収納物載置台２ａの下方には温風送風装置２ｄを設けて布団１を乾燥するようにしている。（例えば、特許文献１参照）
このような特許文献１においては、収納物載置台２ａを引き出して布団１を収納及び敷く作業をおこなうことができると言えども、布団を折り畳んで収納する作業、折り畳まれた布団を延ばして敷く作業に労力を要し、又、布団１を収納した際の収納スペースが大きくなるという問題があった。
【０００３】
【特許文献１】
特開平１１−９８９５号公報（図１）
【０００４】
【発明が解決しようとする課題】
本発明はこのような問題に鑑みてなされたものであり、布団を収納する作業、敷く作業を楽にしながら収納スペースを小に抑えることができる布団収納庫を提供することを目的とするものである。
【０００５】
【課題を解決するための手段】
請求項１の発明においては、布団１を吊り下げた姿で収納することができる縦型の収納庫２を設け、布団１の端部に紐状体３を取付け、収納庫２に紐状体３を巻き取り及び繰り出す巻き取り手段４を設け、収納庫２において床面近くに布団１を導入及び導出する布団出入り口５を形成していることを特徴とするものである。
このような構成によれば、巻き取り手段４を作動させて紐状体３を巻き取ることで、紐状体３を取付けている布団１を布団出入り口５から収納庫２の内部に導入して布団１を吊り下げた姿で収納することができ、又、紐状体３を繰り出すことで、布団１を布団出入り口５から容易に導出することができ、布団１の収納及び敷き作業を充分に楽におこなうことができる。しかも、布団１は縦長の吊り下げ姿勢で収納されることから、収納スペースを小に抑えることができる。
【０００６】
請求項２の発明においては、収納庫２内に乾燥装置６を設けていることを特徴とするものである。このような構成によれば、吊り下げた姿の布団１を効率よく乾燥させることができる。
【０００７】
請求項３の発明においては、紐状体３を布団１に対して係脱自在にしていることを特徴とするものである。このような構成によれば、紐状体３を布団１から外すことで、違和感をなくすとともに布団１を望む位置に移動させることができ、必要に応じて他所からの布団１を収納することができる。
【０００８】
請求項４の発明においては、布団出入り口５に布団１の出し入れをガイドするガイドローラ７を設けていることを特徴とするものである。このような構成によれば、布団１の導入及び導出を円滑におこなうことができる。
【０００９】
請求項５の発明においては、ガイドローラ７の上方に導出される布団１をガイドローラ７へとガイドするガイド手段８を設けていることを特徴とするものである。このような構成によれば、ガイドローラ７に布団１を確実に導くことができ、一層、布団１の導出を円滑におこなうことができる。
【００１０】
【発明の実施の形態】
以下、本発明の実施の形態を説明する。図１は斜視図である。図３は前面化粧板を外した内部構造を示す正面図である。
【００１１】
収納庫２は、裏板９、両側板１０、天板１１及び前面化粧板１２により縦長の箱状に構成され、下部に布団出入り口５を形成している。裏板９及び側板１０にわたってＬ型金具１３が取付けられ、Ｌ型金具１３において裏板９の方向においてビスなどにて収納庫２を、例えば、部屋の壁面に固定するものである。このような収納庫２の設置箇所は何れの箇所でもよい。
【００１２】
天板１１にはモータ１４を備えた駆動ブロック１５を取付けてあり、モータ１４の出力軸に巻き取りドラム１７を連結し、巻き取りドラム１７には、ベルトのような紐状体３の一端を係着している。紐状体３の他端にはチャック１８を設けて布団１の端部を挟持して連結又は離脱自在にしている。紐状体３は二本であるが、本数は変更することができる。前面化粧板１２の表面に設けている操作スイッチ１６の操作による操作信号が制御部１９に入力され、制御部１９からの制御信号によって、モータ１４を正逆回転させて紐状体３を巻き取り及び繰り出し自在にしている。このように、紐状体３を巻き取り及び繰り出し自在にする構成を巻き取り手段４と総称し、その構成は種々設計変更可能である。
【００１３】
しかして、操作スイッチ１６の巻き取り側の操作によって、巻き取り手段４を作動させて紐状体３を巻き取ることで、紐状体３をチャック１８にて取付けている布団１を布団出入り口５から収納庫２の内部に導入し、布団１を吊り下げた姿で収納することができるのであり、又、操作スイッチ１６の繰り出し側の操作に基づいて、紐状体３を繰り出すことで、布団１を布団出入り口５から容易に導出することができるのである。巻き取り手段４による巻き取り最終位置は、例えば、巻き取りドラム１７の近傍に設けたリミットスイッチにより、又、繰り出し位置は、例えば、繰り出し側の操作スイッチ１６を押し続ける時間によって制御するとよい。このように、布団１の収納及び敷き作業を充分に楽におこなうことができるのである。この場合、布団１は縦長の吊り下げ姿勢で収納されることから、収納スペースを小に抑えることができるのである（図４（ｂ）参照）。
【００１４】
天板１１には、ファン、ヒータ及びモータを備えた乾燥装置６を乾燥ブロックとして取付けてあり、乾燥装置６用の操作スイッチ１６の操作によって、温風を収納庫２内に吐出して、吊り下げ姿勢の布団１を効率良く乾燥できるようにしている。符号２０は通気口である。
【００１５】
この場合、チャック１８によって、紐状体３を布団１に対して係脱自在にしていることから、紐状体３を布団１から外すことで、乾燥させた布団１を望む位置に移動させることができ、又、必要に応じて他所からの布団１を収納して乾燥することもできるのである。
【００１６】
更に、布団出入り口５の前縁部に布団１の横幅に相当する長さのガイドローラ７を設けていて、布団１の出し入れをガイドして、収納庫２の前方よりの布団１の導入及び導出を円滑におこなうことができるのである。
【００１７】
しかも、ガイドローラ７の上方には断面山型のガイド手段８を設けていて、ガイドローラ７に布団１を確実に導くことができ、一層、布団１の導出を円滑におこなうことができるのである。
【００１８】
【発明の効果】
請求項１の発明においては、布団を吊り下げた姿で収納することができる縦型の収納庫を設け、布団の端部に紐状体を取付け、収納庫に紐状体を巻き取り及び繰り出す巻き取り手段を設け、収納庫において床面近くに布団を導入及び導出する布団出入り口を形成しているから、巻き取り手段を作動させて紐状体を巻き取ることで、紐状体を取付けている布団を布団出入り口から収納庫の内部に導入して布団を吊り下げた姿で収納することができ、又、紐状体を繰り出すことで、布団を布団出入り口から容易に導出することができ、布団の収納及び敷き作業を充分に楽におこなうことができるという利点がある。しかも、布団は縦長の吊り下げ姿勢で収納されることから、収納スペースを小に抑えることができるという利点がある。
【００１９】
請求項２の発明においては、請求項１の効果に加えて、収納庫内に乾燥装置を設けているから、吊り下げた姿の布団を効率よく乾燥させることができるという利点がる。
【００２０】
請求項３の発明においては、請求項１の効果に加えて、紐状体を布団に対して係脱自在にしているから、紐状体を布団から外すことで、違和感をなくすとともに布団を望む位置に移動させることができ、必要に応じて他所からの布団を収納することができるという利点がある。
【００２１】
請求項４の発明においては、請求項１の効果に加えて、布団出入り口に布団の出し入れをガイドするガイドローラを設けているから、布団の導入及び導出を円滑におこなうことができるという利点がある。
【００２２】
請求項５の発明においては、請求項４の効果に加えて、ガイドローラの上方に導出される布団をガイドローラへとガイドするガイド手段を設けているから、ガイドローラに布団を確実に導くことができ、一層、布団の導出を円滑におこなうことができるという利点がある。
【図面の簡単な説明】
【図１】本発明の実施の一形態を示す斜視図である。
【図２】同上の正面図である。
【図３】同上の前面化粧板を外した内部構造を示す正面図である。
【図４】（ａ）（ｂ）（ｃ）は作用を示す側断面図である。
【図５】同上の布団を敷く作用を示す側断面図である。
【図６】従来例の斜視図である。
【符号の説明】
１  布団
２  収納庫
３  紐状体
４  巻き取り手段
５  布団出入り口
６  乾燥装置
７  ガイドローラ
８  ガイド手段
【図１】
2004147698.tif 000003
【図２】
2004147698.tif 000004
【図３】
2004147698.tif 000005
【図４】
2004147698.tif 000006
【図５】
2004147698.tif 000007
【図６】
2004147698.tif 000008